(57)【要約】【課題】故障が発生した場合に空調機の初期データや電力使用量の積算データを容易に復旧させる。【解決手段】空調機３の初期データ及び電力使用量の積算データを登録する複数のメモリー媒体１４，１５と、あるメモリー媒体が故障した際に、他のメモリー媒体に登録されている空調機の初期データ及び電力使用量の積算データを使用して複数の空調機３を操作・監視すると共に、故障したメモリー媒体が正常なメモリー媒体に交換された際に、他のメモリー媒体に登録されている空調機３の初期データ及び電力使用量の積算データを使用して、交換されたメモリー媒体の復活処理を行う空調管理処理部１７とを備えている。【選択図】図１
2008075969.tif 000002
【特許請求の範囲】
【請求項１】
複数の空調機を操作・監視する空調管理装置において、
各空調機の位置情報、グループ情報、電力使用量の単価を含む上記空調機の初期データ及び電力使用量の積算データを登録する複数のメモリー媒体と、
あるメモリー媒体が故障した際に、他のメモリー媒体に登録されている上記空調機の初期データ及び電力使用量の積算データを使用して上記複数の空調機を操作・監視すると共に、故障したメモリー媒体が正常なメモリー媒体に交換された際に、上記他のメモリー媒体に登録されている上記空調機の初期データ及び電力使用量の積算データを使用して、上記交換されたメモリー媒体の復活処理を行う空調管理処理部とを備えたことを特徴とする空調管理装置。
【請求項２】
空調管理処理部は、空調機の初期データを着脱可能な外部メモリー媒体に登録し、複数のメモリー媒体が故障し正常なメモリー媒体に交換された際に、外部メモリー媒体に登録されている上記空調機の初期データを使用して、上記交換された複数のメモリー媒体の復活処理を行うことを特徴とする請求項１記載の空調管理装置。
【請求項３】
空調管理処理部の指示に基づき、複数のメモリー媒体に登録されている初期データを、公衆回線を介して外部に送信する通信処理部を備えたことを特徴とする請求項１記載の空調管理装置。
【請求項４】
空調管理処理部は初期データの変更履歴を複数のメモリー媒体に登録させることを特徴とする請求項１記載の空調管理装置。
【請求項５】
空調管理処理部は、不揮発性半導体メモリーで構成された複数のメモリー媒体に、空調管理装置の基本ソフトウェアであるオペレーションシステム、上記空調機の初期データ及び電力使用量の積算データを格納し、上記オペレーションシステムが格納されている領域を書き込み禁止にすることを特徴とする請求項１記載の空調管理装置。
【請求項６】
着脱式のメモリー媒体を使用することを特徴とする請求項５記載の空調管理装置。
【発明の詳細な説明】
【技術分野】
【０００１】
この発明は複数の空調機を集中管理する空調管理装置に関するものである。
【背景技術】
【０００２】
複数の空調機とこの複数の空調機を集中管理する空調管理装置により構成された空調管理システムの導入時には、各空調機の位置情報、グループ情報、電力使用量の単価を含む空調機の初期データが空調管理装置のメモリ媒体に登録される。このような空調管理システムを採用した例えばテナントビルでは、入居者の入れ替え等により、間仕切りの変更や空調機の入れ替え等が発生し、その都度、空調機の初期データをメモリ媒体に再度登録し直す必要がある。
【０００３】
従来の空調管理装置において、例えば特許文献１に示す空調用集中管理装置に示す記憶手段のように、１つのメモリ媒体に空調機の初期データを登録している場合で、このメモリ媒体が故障した際には、初期データの再設定が必要になるが、この空調機の初期データは紙媒体で保管されていることが多く、初期データの登録以降に、入居者の入れ替えや空調機の入れ替え、電力料金の単価見直しがあった場合には、正しい初期データが保管されていない場合があり、空調機の初期データの復旧に膨大な時間と労力が必要になる。
【０００４】
また、従来の空調管理装置において、空調管理システムの基本ソフトウェアであるオペレーションシステムや空調機の初期データや電力使用量の積算データを、ハードディスクに格納している場合で、このハードディスクが故障した際には、空調機の初期データの復旧に膨大な時間と労力が必要になると共に、電力使用量の積算データの復旧は事実上困難となる。
【０００５】
【特許文献１】特開平９−１９６４４４号公報（段落００１０）
【発明の開示】
【発明が解決しようとする課題】
【０００６】
従来の空調管理装置は以上のように構成されているので、空調機の初期データや電力使用量の積算データを登録しているメモリ媒体等に故障が発生した場合に、空調機の初期データの復旧に膨大な時間と労力が必要になると共に、空調機の電力使用量の積算データの復旧は事実上困難となるという課題があった。
【０００７】
この発明は上記のような課題を解決するためになされたもので、空調機の初期データや電力使用量の積算データを登録しているメモリ媒体等に故障が発生した場合に、空調機の初期データや電力使用量の積算データを容易に復旧させることができる空調管理装置を得ることを目的とする。
【課題を解決するための手段】
【０００８】
この発明に係る空調管理装置は、複数の空調機を操作・監視するものにおいて、各空調機の位置情報、グループ情報、電力使用量の単価を含む上記空調機の初期データ及び電力使用量の積算データを登録する複数のメモリー媒体と、あるメモリー媒体が故障した際に、他のメモリー媒体に登録されている上記空調機の初期データ及び電力使用量の積算データを使用して上記複数の空調機を操作・監視すると共に、故障したメモリー媒体が正常なメモリー媒体に交換された際に、上記他のメモリー媒体に登録されている上記空調機の初期データ及び電力使用量の積算データを使用して、上記交換されたメモリー媒体の復活処理を行う空調管理処理部とを備えたものである。
【発明の効果】
【０００９】
この発明により、１つのメモリー媒体に故障が発生した場合に、空調機の初期データや電力使用量の積算データを容易に復旧させることができるという効果が得られる。
【発明を実施するための最良の形態】
【００１０】
実施の形態１．
図１はこの発明の実施の形態１による空調管理装置を含む空調管理システムの構成を示すブロック図である。この空調管理システムは、空調管理装置１、空調通信インタフェース装置２、複数の空調機３及び外部メモリー媒体４により構成され、空調管理装置１は回線に接続された空調通信インタフェース装置２を介して複数の空調機３を運転・監視することにより集中管理を行う。外部メモリー媒体４は、常時又は必要の都度、空調管理装置１に接続される。
【００１１】
図１において、空調管理装置１は、入力部１１、出力部１２、入出力処理部１３、メモリー媒体１４，１５、ハードディスク１６、空調管理処理部１７及び通信処理部１８を備えている。
入力部１１はユーザより指定された各空調機の位置情報、グループ情報、電力使用量の単価を含む上記空調機の初期データを入力し、出力部１２はプリンター、表示器、ブザー等により構成され、必要な情報を出力する。入出力処理部１３は、空調管理処理部１７の指示に基づき、入力部１１からの空調機の初期データをメモリー媒体１４，１５に登録する共に、メモリー媒体１４，１５に登録されている空調機の初期データや電力使用量の積算データやハードディスク１６に格納されている情報を出力部１２に出力する。
【００１２】
メモリー媒体１４，１５は、入出力処理部１３からの空調機の初期データを格納すると共に、空調管理処理部１７が通信処理部１８及び空調通信インタフェース装置２を介して各空調機３から収集した電力使用量の積算データを格納する。このように、メモリー媒体１４，１５は、同一の空調機の初期データと電力使用量の積算データを格納することにより、二重化されたデータベースを構成している。なお、図１では、２つのメモリー媒体１４，１５を備えているが、２つ以上の複数のメモリー媒体を備えても良い。ハードディスク１６は、空調管理処理部１７が処理する際のワークエリア１６ａを備え、オペレーションシステム１６ｂ、アプリケーションプログラム１６ｃを格納している。
【００１３】
空調管理処理部１７は、空調機３の初期データをメモリー媒体１４，１５に登録させ、通常の操作・監視処理において、各空調機３から送信された電力使用量の積算データをメモリー媒体１４，１５に登録させ、１つのメモリー媒体に故障が発生し、故障したメモリー媒体が正常なメモリー媒体に交換された際に、他のメモリー媒体に登録されている空調機の初期データや電力使用量の積算データを使用して、交換されたメモリー媒体の復活処理を行う。また、空調管理処理部１７は、初期データをメモリー媒体１４，１５及び外部メモリー媒体４に登録させ、初期データを登録しているメモリー媒体１４，１５に故障が発生し、故障したメモリー媒体１４，１５が正常なメモリー媒体に交換された際に、外部メモリー媒体４に登録されている空調機の初期データを使用して、交換されたメモリー媒体１４，１５の復活処理を行う。
【００１４】
通信処理部１８は、空調管理処理部１７からの各空調機３への指示を空調通信インタフェース装置２を介して送信すると共に、各空調機３からの電力使用量の積算データを受信して空調管理処理部１７に転送する。
【００１５】
図２は空調機３の初期データの登録処理を示すフローチャートである。この図２に示す登録処理は空調管理処理部１７の指示に基づき行われる。
ステップＳＴ１１において、入力部１１は空調管理処理部１７の指示に基づきユーザより指定された空調機３の初期データを入力し、ステップＳＴ１２において、空調管理処理部１７は、入力部１１による空調機３の初期データの入力が完了したかを確認し、完了していない場合にはステップＳＴ１１の処理に戻る。
【００１６】
空調機３の初期データの入力が完了した場合には、ステップＳＴ１３において、入出力処理部１３は、空調管理処理部１７の指示に基づき、入力部１１により入力された空調機３の初期データをメモリー媒体１４に登録する。ステップＳＴ１４において、空調管理処理部１７は他のメモリー媒体が存在するかを確認し、他のメモリー媒体が存在する場合にはステップＳＴ１５の処理に移行し、他のメモリー媒体が存在しない場合にはステップＳＴ１６の処理に移行する。ステップＳＴ１５において、入出力処理部１３は、空調管理処理部１７の指示に基づき、入力部１１により入力された初期データをメモリー媒体１５に登録する。
【００１７】
ステップＳＴ１６において、入出力処理部１３は、空調管理処理部１７の指示に基づき、出力部１２としての表示器に、入力された空調機３の初期データを外部メモリー媒体４にバックアップするかの表示を行わせてユーザに問い合わせる。
図３は出力部１２としての表示器に表示されるバックアップの問い合わせ画面の例を示す図である。図３（ａ）は保存選択画面例を示し、図３（ｂ）は保存フォルダ選択画面例を示す。図３（ａ）の保存選択画面例において、「今すぐ保存」又は「後で保存」を選択する画面が表示され、図３（ａ）で「今すぐ保存」を選択すると、図３（ｂ）の保存フォルダ選択画面が表示され、保存フォルダを選択すると所定のフォルダに保存される。図３（ａ）で「後で保存」を選択すると、一旦本画面を終了して通常の操作・監視処理へ移行する。
【００１８】
上記ステップＳＴ１６で、入力部１１がユーザからバックアップしない旨の回答を得た場合、すなわち、図３（ａ）の保存選択画面例において、「後で保存」を選択した場合には、この空調機３の初期データの登録処理を終了して通常の操作・監視処理へ移行し、バックアップする旨の回答を得た場合にはステップＳＴ１７の処理に移行する。ステップＳＴ１７において、空調管理処理部１７は外部メモリー媒体４が接続されているかを確認して、接続されていない場合にはステップＳＴ１８の処理に移行し、接続されている場合にはステップＳＴ１９の処理に移行する。
【００１９】
ステップＳＴ１８において、入出力処理部１３は、空調管理処理部１７の指示に基づき、出力部１２としての表示器に、外部メモリー媒体４の接続要求を表示させる。
図４は空調管理装置１に外部メモリー媒体４を接続する様子を説明する図である。ここでは、出力部１２としての表示器を備えた壁掛型の空調管理装置１に外部メモリー媒体４を接続している。バックアップに使用される外部メモリー媒体４は、常時、空調管理装置１に接続される形態のものと、図４に示すように、空調機３の初期データの登録時のバックアップ処理時のみ空調管理装置１に接続され、バックアップ終了後は取り外して別に保管する着脱可能な形態のものがある。後者の場合には、空調機３の初期データの登録変更、又はメンテナンスのときに使用され、内部データが破壊されないように保管される。
【００２０】
ステップＳＴ１８の処理後にステップＳＴ１７に戻り、空調管理処理部１７は外部メモリー媒体４が接続されているかを確認し、接続されている場合には、ステップＳＴ１９において、入出力処理部１３は、空調管理処理部１７の指示に基づき、入力部１１により入力された空調機３の初期データを外部メモリー媒体４に登録することによりバックアップ処理を行い、通常の操作・監視処理へ移行する。
【００２１】
上記ステップＳＴ１１〜ＳＴ１９の処理では、最初に入力された空調機３の初期データをメモリー媒体１４，１５及び外部メモリー媒体４に登録しているが、入居者の入れ替え等により空調機３の初期データに変更が生じた場合には、再度、上記ステップＳＴ１１〜ＳＴ１９の処理を繰り返して変更された空調機３の初期データをメモリー媒体１４，１５及び外部メモリー媒体４に登録すると共に、その変更履歴もメモリー媒体１４，１５及び外部メモリー媒体４に登録する。
【００２２】
また、上記ステップＳＴ１７〜ＳＴ１９の処理では、バックアップの方法として、空調管理装置１に接続された外部メモリー媒体４に空調機３の初期データや変更履歴を登録しているが、外部メモリー媒体４に登録する代わりに、空調管理処理部１７が、通信処理部１８と電話回線を介してサービス会社やメーカー等に空調機３の初期データや変更履歴を送信して管理させるようにしても良い。
【００２３】
図５は通常の操作・監視処理で使用中の空調機３の初期データ及び電力使用量の積算データを登録しているメモリー媒体にエラーが発生した場合の空調機３の初期データ及び電力使用量の積算データの復旧処理を示すフローチャートである。この図５に示す空調機３の初期データ及び電力使用量の積算データの復旧処理は空調管理処理部１７の指示に基づき行われる。
ステップＳＴ２１において、空調管理処理部１７は使用しているメモリー媒体１４にエラーが発生したかを確認し、エラーが発生していない場合には通常の操作・監視処理に戻り、エラーが発生した場合にはステップＳＴ２２に移行する。
【００２４】
ステップＳＴ２２において、入出力処理部１３は、空調管理処理部１７の指示に基づき出力部１２としての表示器に、メモリー媒体１４のエラーが発生したことを表示させる。ステップＳＴ２３において、空調管理処理部１７は使用しているメモリー媒体１５にエラーが発生したかを確認し、エラーが発生していない場合にはステップＳＴ２４に移行し、エラーが発生した場合にはステップＳＴ２６に移行する。
【００２５】
ステップＳＴ２４において、空調管理処理部１７は、メモリー媒体１５に登録されている空調機３の初期データ及び電力使用量の積算データを使用して通常の操作・監視処理を行う。ステップＳＴ２５において、空調管理処理部１７は、メモリー媒体１５に登録されている空調機３の初期データ及び電力使用量の積算データを、新しく交換された正常なメモリー媒体１４に登録することにより、メモリー媒体１４の空調機３の初期データ及び電力使用量の積算データの復活処理を行って上記ステップＳＴ２１の処理に戻る。
【００２６】
上記ステップＳＴ２３の処理で、メモリー媒体１５にエラーが発生した場合には、ステップＳＴ２６において、入出力処理部１３は、空調管理処理部１７の指示に基づき、出力部１２としての表示器にメモリー媒体１５のエラーが発生したことを表示させる。ステップＳＴ２７において、入出力処理部１３は、空調管理処理部１７の指示に基づき、出力部１２としての表示器に外部のバックアップデータを使用することを表示させる。
【００２７】
ステップＳＴ２８において、空調管理処理部１７は外部メモリー媒体４が接続されているかを確認し、外部メモリー媒体４が接続された場合には、ステップＳＴ２９において、空調管理処理部１７は、外部メモリー媒体４に登録されている空調機３の初期データを、新しく交換された正常なメモリー媒体１４，１５に登録することにより、メモリー媒体１４，１５の空調機３の初期データの復活処理を行って、通常の操作・監視処理に戻る。
【００２８】
以上のように、この実施の形態１によれば、空調管理処理部１７が、空調機３の初期データをメモリー媒体１４，１５に登録させ、通常の操作・監視処理において、各空調機３から送信された電力使用量の積算データをメモリー媒体１４，１５に登録させ、１つのメモリー媒体に故障が発生し、故障したメモリー媒体が正常なメモリー媒体に交換された際に、他のメモリー媒体に登録された空調機の初期データや電力使用量の積算データを使用して、交換されたメモリー媒体の復活処理を行うことにより、空調機３の初期データや電力使用量の積算データを容易に復旧することができるという効果が得られる。
【００２９】
また、この実施の形態１によれば、空調管理処理部１７が、初期データをメモリー媒体１４，１５及び外部メモリー媒体４に登録させ、初期データを登録しているメモリー媒体１４，１５に故障が発生し、故障したメモリー媒体１４，１５が正常なメモリー媒体に交換された際に、外部メモリー媒体４に登録された空調機の初期データを使用して、交換されたメモリー媒体１４，１５の復活処理を行うことにより、空調機３の初期データを容易に復旧することができるという効果が得られる。
【００３０】
実施の形態２．
図６はこの発明の実施の形態２による空調管理装置を含む空調管理システムの構成を示すブロック図である。この空調管理システムは、空調管理装置１、空調通信インタフェース装置２、複数の空調機３及び外部メモリー媒体４により構成され、空調管理装置１は回線に接続された空調通信インタフェース装置２を介して複数の空調機３を集中管理する。外部メモリー媒体４は、常時又は必要の都度、空調管理装置１に接続される。
【００３１】
図６において、空調管理装置１は、上記実施の形態１の図１と同様に、入力部１１、出力部１２、入出力処理部１３、メモリー媒体１４，１５、ハードディスク１６、空調管理処理部１７及び通信処理部１８を備えている。
【００３２】
上記実施の形態１では、ハードディスク１６にオペレーションシステム１６ｂが格納されているが、この実施の形態２では、メモリー媒体１４，１５をフラッシュメモリ等の半導体不揮発性メモリーで構成し、メモリー媒体１４，１５にオペレーションシステム１６ｂを格納している点が上記実施の形態１と異なっている。なお、半導体不揮発性メモリーで構成したメモリー媒体１４，１５の記憶容量が大きい場合には、アプリケーションプログラム１６ｃもメモリー媒体１４，１５に格納することが可能である。
【００３３】
そして、空調機３の初期データの登録完了後に、空調管理処理部１７が破損した場合や暴走した場合にも、メモリー媒体１４，１５に格納されているオペレーションシステム１６ｂの内容が書き換えられないように、空調管理処理部１７は、オペレーションシステム１６ｂが格納されているメモリー媒体１４，１５領域を、ソフトウェア又はハードウェアにより書き込み禁止処理を行う。その他の処理は上記実施の形態１と同様である。
【００３４】
以上のように、この実施の形態２によれば、上記実施の形態１と同様の効果が得られると共に、ハードディスク１６が破損した場合にも、半導体不揮発性メモリーで構成されているメモリー媒体１４，１５に格納されている空調機３の初期データや電力使用量の積算データやオペレーションシステム１６ｂの破損は避けられるので、一旦は空調管理装置１がダウンするが、ハードディスク１６を正常なものに交換することで、故障前の空調機３の初期データや電力使用量の積算データを引き続いてそのまま使用することができるという効果が得られる。
【００３５】
また、この実施の形態２によれば、半導体不揮発性メモリーで構成されているメモリー媒体１４，１５を、空調管理装置１に対して着脱式のメモリー媒体とすることにより、空調管理装置１が故障した場合にも、メモリー媒体１４，１５を正常な空調管理装置１に装着することで、故障前の状態に速やかに復帰できるという効果が得られる。
【図面の簡単な説明】
【００３６】
【図１】この発明の実施の形態１による空調管理装置を含む空調管理システムの構成を示すブロック図である。
【図２】この発明の実施の形態１による空調管理装置の空調機の初期データの登録処理を示すフローチャートである。
【図３】この発明の実施の形態１による空調管理装置の出力部としての表示器に表示されるバックアップの問い合わせ画面の例を示す図である。
【図４】この発明の実施の形態１による空調管理装置に外部メモリー媒体を接続する様子を説明する図である。
【図５】この発明の実施の形態１による空調管理装置の通常の操作・監視処理で使用中の空調機の初期データ及び電力使用量の積算データを登録しているメモリー媒体にエラーが発生した場合の空調機の初期データ及び電力使用量の積算データの復旧処理を示すフローチャートである。
【図６】この発明の実施の形態２による空調管理装置を含む空調管理システムの構成を示すブロック図である。
【符号の説明】
【００３７】
１  空調管理装置、２  空調通信インタフェース装置、３  空調機、４  外部メモリー媒体、１１  入力部、１２  出力部、１３  入出力処理部、１４  メモリー媒体、１５  メモリー媒体、１６  ハードディスク、１６ａ  ワークエリア、１６ｂ  オペレーションシステム、１６ｃ  アプリケーションプログラム、１７  空調管理処理部、１８  通信処理部。
【図１】
2008075969.tif 000003
【図２】
2008075969.tif 000004
【図３】
2008075969.tif 000005
【図４】
2008075969.tif 000006
【図５】
2008075969.tif 000007
【図６】
2008075969.tif 000008